(57)【要約】      （修正有）【課題】原稿の重送が生じた場合に、排出された記録用紙の頁を揃える作業を容易にすることが可能な画像処理装置を提供する。【解決手段】原稿の搬送時に重送を検出すると、該重送により同時に重送された全ての原稿である重送原稿を除いて、残るその他の原稿のみに記載されている画像を記録用紙に記録し、重送原稿の中で最初に搬送された原稿の直前に搬送された原稿に記載されている画像が記録されている記録用紙である重送前原稿記録用紙のみを、排紙トレイ５１における排出位置７２が、その他の記録済の記録用紙の排出位置７１と異なるように排出するようにして、画像処理装置を構成する。【選択図】図９
2007201548.tif 000002
【特許請求の範囲】
【請求項１】
読取トレイに載置され、画像が記載されている複数枚の原稿を、搬送しながら１枚ずつ読取って得られる画像を記憶すると共に、記憶された該画像を記録用紙に記録して、記録された該記録用紙を排紙トレイに排出する画像処理装置であって、１枚の原稿に記載されている画像を１枚の記録用紙に記録する該画像処理装置において、
前記原稿の搬送時に重送を検出すると、該重送により同時に重送された全ての原稿である重送原稿を、除いて、残るその他の原稿のみに記載されている画像を記録用紙に記録し、
前記重送原稿の中で最初に搬送された原稿の直前に搬送された原稿に記載されている画像が記録されている記録用紙である重送前原稿記録用紙のみを、前記排紙トレイにおける排出位置が、その他の記録済の記録用紙と異なるように排出することを特徴とする画像処理装置。
【請求項２】
前記重送が検出された場合は、前記重送原稿を再読取させることが必要な旨の表示を、全ての前記原稿の読取終了後に行う請求項１記載の画像処理装置。
【請求項３】
前記重送原稿が前記読取トレイに載置されると、全ての前記記録終了後に、前記重送原稿を搬送しながら１枚ずつ読取って得られる画像を、前記記録用紙に記録すると共に、
該画像が記録された前記記録用紙である重送原稿記録用紙を全て、前記排紙トレイにおける排出位置が、前記重送前原稿記録用紙を除く既に排出されている前記その他の記録済の記録用紙と異なるように排出する請求項１又は２記載の画像処理装置。
【請求項４】
読取トレイに載置され、画像が記載されている複数枚の原稿を、搬送しながら１枚ずつ読取って得られる画像を記憶すると共に、記憶された該画像を記録用紙に記録して、記録された該記録用紙を排紙トレイに排出する画像処理装置であって、頁が連続した所定枚数の原稿に記載されている画像をまとめて、１枚の記録用紙に記録する該画像処理装置において、
前記原稿の搬送時に重送を検出すると、該重送により同時に重送された全ての原稿である重送原稿に記載されている画像が、該重送がなければ記録される予定の記録用紙に、該重送原稿に記載されている画像と共にまとめて記録される予定の画像が記載されている原稿であり前記重送原稿を含む同時記録原稿を、除いて、残るその他の原稿のみに記載されている画像を記録用紙に記録し、
前記同時記録原稿の中で最初に搬送された原稿の直前に搬送された原稿に記載されている画像が記録されている記録用紙である重送前原稿記録用紙のみを、前記排紙トレイにおける排出位置が、その他の記録済の記録用紙と異なるように排出することを特徴とする画像処理装置。
【請求項５】
前記重送が検出された場合は、前記重送原稿を再読取させることが必要な旨の表示を、全ての前記原稿の読取終了後に行う請求項４記載の画像処理装置。
【請求項６】
前記重送原稿が前記読取トレイに載置されると、全ての前記記録終了後に、前記重送原稿を搬送しながら１枚ずつ読取って得られる画像、及び、該画像以外の前記同時記録原稿に記載されていた画像を、前記記録用紙に記録すると共に、
これらの画像が記録された前記記録用紙である重送原稿記録用紙を全て、前記排紙トレイにおける排出位置が、前記重送前原稿記録用紙を除く既に排出されている前記その他の記録済の記録用紙と異なるように排出する請求項４又は５記載の画像処理装置。
【請求項７】
表示部を備えると共に、該表示部に、記録済の前記記録用紙のページ番号を揃えることが必要な旨の表示を、前記重送原稿記録用紙の記録終了後に行う請求項３又は６記載の画像処理装置。
【請求項８】
表示部を備えると共に、該表示部に、記録済の前記記録用紙のページ番号を揃えるために、前記重送原稿記録用紙を、前記重送前原稿記録用紙と、該重送前原稿記録用紙の直後に排出された記録済の記録用紙との間に挿入することが必要な旨の表示を、前記重送原稿記録用紙の記録終了後に行う請求項３又は６記載の画像処理装置。
【請求項９】
前記記録済記録用紙を前記排紙トレイに排出する際の該排紙トレイにおける排出位置の違いは、該排紙トレイにおける前記記録用紙の排出位置を、該記録用紙の排出方向と直角の方向に変化させることにより生じさせる請求項１〜８のいずれか１項に記載の画像処理装置。
【発明の詳細な説明】
【技術分野】
【０００１】
本発明は、画像が記載されている複数枚の原稿を搬送しながら１枚づつ読取って、得られる画像を記録用紙に記録して排紙トレイに排出する画像処理装置に関する。
【背景技術】
【０００２】
画像が記載されている複数枚の原稿を読取って記録用紙に記録するいわゆるコピー機である画像処理装置では、近年、処理の高速化が進んでおり、このような高速処理においては、原稿を高速で搬送する結果、原稿の重送が生じて読取画像が欠落することがある。そのため、原稿に記載された全ての画像を記録処理することができないという不具合が発生することがある。そこで、このような不具合を防止するために、原稿搬送路中に重送検知センサを配置して、搬送される原稿の重送検出を行う重送検出機能を備えた画像処理装置が開発されている。
【０００３】
他方、これらの画像処理装置において、記録された記録用紙を排出する際に、複数部数の仕分けをする機能を備えた画像処理装置が開発されている（例えば、特許文献１参照）。このような複数部数の仕分けをする機能としては、ほかにも、排紙トレイにおける記録用紙の排出位置を、記録用紙の排出方向と直角の方向に変化させることにより行う方法等が存在するが、これらは、上述したように、複数部数の仕分けをする機能を実現するために用いられているに過ぎない。
【特許文献１】特開平１０−２３６７１７号公報
【発明の開示】
【発明が解決しようとする課題】
【０００４】
ところで、上述した重送検出機能を備えた画像処理装置では、通常、原稿の重送が検出されると、重送原稿の再読取り要求を行うが、再読取りが行われても、再度読取られた画像を記録した記録用紙は、最初に記録され排出された記録用紙が存在する排紙トレイに、そのまま続けて排出される。
【０００５】
そのため、排出された記録用紙の頁を揃えるには、まず、排出された記録用紙の中から再度読取られた画像を記録した記録用紙を取り出して、さらに、残った記録用紙の中で、重送がなければ本来あるはずの、重送された原稿に記載されている画像を記録した記録用紙が抜けている場所を探して、その場所へ、先に取り出した記録用紙を挿入するという作業が必要であり、手間がかかっていた。
【０００６】
しかし、他方では、上述したように、複数部数の仕分けをする機能を備えた画像処理装置が開発されている。そこで、これらの複数部数の仕分けをする機能等を利用することにより、原稿の重送が生じた場合に、排出された記録用紙の頁を揃える作業を容易にすることが可能な画像処理装置が要望されていた。
【０００７】
この発明は、このような要望に対処するためになされたものであって、原稿の重送が生じた場合に、排出された記録用紙の頁を揃える作業を容易にすることが可能な画像処理装置を提供しようとするものである。
【課題を解決するための手段】
【０００８】
本発明の画像処理装置は、読取トレイに載置され、画像が記載されている複数枚の原稿を、搬送しながら１枚ずつ読取って得られる画像を記憶すると共に、記憶された該画像を記録用紙に記録して、記録された該記録用紙を排紙トレイに排出する画像処理装置である。
【０００９】
この画像処理装置は、１枚の原稿に記載されている画像は１枚の記録用紙に記録する画像処理装置（以下、単枚葉原稿単頁記録の画像処理装置と称する）と、頁が連続した所定枚数の原稿に記載されている画像は、まとめて１枚の記録用紙に記録する画像処理装置（以下、多枚葉原稿単頁記録の画像処理装置と称する）の２種類のタイプに分けることができる。この内、単枚葉原稿単頁記録の画像処理装置では、原稿の枚数と記録される記録用紙の枚数は同数であるのに対して、多枚葉原稿単頁記録の画像処理装置では、記録される記録用紙の枚数が原稿の枚数よりも少なくなる。
【００１０】
上記の単枚葉原稿単頁記録の画像処理装置は、次のような機能を備えている。即ち、原稿の搬送時に重送を検出すると、重送原稿を除いて、残るその他の原稿に記載されている画像のみを記録用紙に記録する。そして、重送前原稿記録用紙のみを、排紙トレイにおける排出位置が、その他の記録済の記録用紙と異なるように排出する。ここで、重送とは、複数の原稿の少なくとも一部が、重なった状態で搬送されることを言う。又、重送原稿とは、上記の重送により、同時に重送された全ての原稿を言う。又、重送前原稿記録用紙とは、重送原稿の中で最初に搬送された原稿の直前に搬送された原稿に記載されている画像が記録済の記録用紙を言う。
【００１１】
上記の単枚葉原稿単頁記録の画像処理装置によれば、原稿の搬送時に重送が検出されると、重送原稿を除いて、残るその他の原稿に記載されている画像のみを記録用紙に記録する。そして、重送前原稿記録用紙のみを、排紙トレイにおける排出位置が、その他の記録済の記録用紙と異なるように排出する。そのため、重送前原稿記録用紙は、その他の記録済記録用紙と簡単に見分けることができる。この重送前原稿記録用紙と、該重送前原稿記録用紙の直後に排出された記録済の記録用紙との間は、重送がなければ本来あるはずの、重送された原稿に記載されている画像が記録される記録用紙が位置する場所である。従って、重送された原稿に記載されている画像を記録した記録用紙が挿入される場所を、画像処理装置の操作者等が、容易に見つけることができる。
【００１２】
上記の単枚葉原稿単頁記録の画像処理装置は、次のような機能を備えるのが好ましい。即ち、重送が検出された場合は、重送原稿を再読取させることが必要な旨の表示を、全ての原稿の読取終了後に行う。又、重送原稿が読取トレイに載置されると、全ての記録終了後に、重送原稿を搬送しながら１枚ずつ読取って得られる画像を、記録用紙に記録する。そして、該画像が記録された記録用紙である重送原稿記録用紙を全て、排紙トレイにおける排出位置が、上記の重送前原稿記録用紙を除く既に排出されているその他の記録済の記録用紙と異なるように排出するのである。
【００１３】
上記の単枚葉原稿単頁記録の画像処理装置によれば、原稿の搬送時に重送が検出されると、重送原稿を再読取させることが必要な旨の表示を行う。従って、画像処理装置の操作者等に対して、重送された原稿の再読取を行うように催促することができる。又、重送原稿記録用紙が全て、排紙トレイにおける排出位置を、重送前原稿記録用紙を除く既に排出されているその他の記録済の記録用紙と異なるように排出される。従って、重送された原稿に記載されている画像が記録されている重送原稿記録用紙を、画像処理装置の操作者等が、容易に見つけることができる。
【００１４】
上記の多枚葉原稿単頁記録の画像処理装置は、次のような機能を備えている。即ち、原稿の搬送時に重送を検出すると、重送原稿を含む同時記録原稿を除いて、残るその他の原稿のみに記載されている画像を記録用紙に記録する。ここで、重送、及び、重送原稿については、上述した内容と同じである。同時記録原稿とは、重送原稿に記載されている画像が、該重送がなければ記録される予定の記録用紙に、重送原稿に記載されている画像と共にまとめて記録される予定の画像が記載されている原稿であり、この同時記録原稿には、重送原稿が含まれる。
【００１５】
そして、重送前原稿記録用紙のみを、排紙トレイにおける排出位置が、その他の記録済の記録用紙と異なるように排出する。ここで、重送前原稿記録用紙とは、同時記録原稿の中で最初に搬送された原稿の直前に搬送された原稿に記載されている画像が記録されている記録用紙を言う。
【００１６】
上記の多枚葉原稿単頁記録の画像処理装置によれば、原稿の搬送時に重送が検出されると、同時記録原稿を除いて、残るその他の原稿のみに記載されている画像を記録用紙に記録する。そして、重送前原稿記録用紙のみを、排紙トレイにおける排出位置が、その他の記録済の記録用紙と異なるように排出する。そのため、重送前原稿記録用紙は、その他の記録済記録用紙と簡単に見分けることができる。この重送前原稿記録用紙と、該重送前原稿記録用紙の直後に排出された記録済の記録用紙との間は、重送がなければ本来あるはずの、重送された原稿に記載されている画像が記録される記録用紙が位置する場所である。従って、重送された原稿に記載されている画像を記録した記録用紙が挿入される場所を、画像処理装置の操作者等が、容易に見つけることができる。
【００１７】
上記の多枚葉原稿単頁記録の画像処理装置は、次のような機能を備えるのが好ましい。即ち、重送原稿が読取トレイに載置されると、全ての記録終了後に、重送原稿を搬送しながら１枚ずつ読取って得られる画像、及び、該画像以外の同時記録原稿に記載されていた画像を、記録用紙に記録する。そして、これらの画像が記録された記録用紙である重送原稿記録用紙を全て、排紙トレイにおける排出位置が、重送前原稿記録用紙を除く既に排出されているその他の記録済の記録用紙と異なるように排出するのである。
【００１８】
上記の多枚葉原稿単頁記録の画像処理装置によれば、原稿の搬送時に重送が検出されると、重送原稿を再読取させることが必要な旨の表示を行う。従って、画像処理装置の操作者等に対して、重送された原稿の再読取を行うように催促することができる。又、重送原稿に記載されている画像、及び、該画像以外の同時記録原稿に記載されていた画像を記録用紙に記録する。そして、これらの画像が記録された記録用紙である重送原稿記録用紙が全て、排紙トレイにおける排出位置を、重送前原稿記録用紙を除く既に排出されているその他の記録済の記録用紙と異なるように排出される。従って、重送された原稿に記載されている画像が記録された記録用紙である重送原稿記録用紙を、画像処理装置の操作者等が、容易に見つけることができる。
【００１９】
上記の単枚葉原稿単頁記録の画像処理装置、及び、多枚葉原稿単頁記録の画像処理装置において、これらの画像処理装置は、次のようにするのが好ましい。即ち、表示部を備えると共に、該表示部に、記録済の記録用紙のページ番号を揃えるために、記録済の記録用紙のページ番号を揃えることが必要な旨の表示、或いは、重送原稿記録用紙を、重送前原稿記録用紙と、該重送前原稿記録用紙の直後に排出された記録済の記録用紙との間に挿入することが必要な旨の表示を、重送原稿記録用紙の記録終了後に行うようにするのである。
【００２０】
このようにすることにより、原稿の搬送時に重送が検出された場合に、記録済の記録用紙のページ番号を揃えることが必要であること、或いは、重送された原稿に記載されている画像を記録した記録用紙である重送原稿記録用紙を、重送がなければ本来あるはずである、重送された原稿の画像が記録される記録用紙が抜けている場所に挿入する必要があることを、画像処理装置の操作者等に対して、容易に気付かせることができる。
【００２１】
又、上記の単枚葉原稿単頁記録の画像処理装置、及び、多枚葉原稿単頁記録の画像処理装置において、記録済記録用紙を排紙トレイに排出する際の該排紙トレイにおける排出位置の違いは、該排紙トレイにおける記録用紙の排出位置を、該記録用紙の排出方向と直角の方向に変化させることにより生じさせるようにするのが好ましい。これは、このようにすることが、画像処理装置では、比較的容易に実現可能であるからである。
【発明の効果】
【００２２】
本発明によれば、原稿の搬送時に重送が検出されると、重送前原稿記録用紙のみを、排紙トレイにおける排出位置が、その他の記録済の記録用紙と異なるように排出する。そのため、重送前原稿記録用紙は、その他の記録済記録用紙と簡単に見分けることができる。この重送前原稿記録用紙と、該重送前原稿記録用紙の直後に排出された記録済の記録用紙との間は、重送がなければ本来あるはずの、重送された原稿に記載されている画像が記録される記録用紙が位置する場所である。従って、重送された原稿に記載されている画像を記録した記録用紙が挿入される場所を、画像処理装置の操作者等が、容易に見つけることができる。
【００２３】
又、原稿の搬送時に重送が検出されると、重送された原稿を再読取させることが必要な旨の表示を行うので、画像処理装置の操作者等に対して、重送された原稿の再読取を催促することができる。又、重送原稿記録用紙が全て、排紙トレイにおける排出位置を、重送前原稿記録用紙を除く既に排出されているその他の記録済の記録用紙と異なるように排出される。従って、重送された原稿に記載されている画像が記録されている重送原稿記録用紙を、画像処理装置の操作者等が、容易に見つけることができる。
【００２４】
又、記録済の記録用紙の頁番号を揃えるために、重送原稿記録用紙を、重送前原稿記録用紙と、該重送前原稿記録用紙の直後に排出された記録済の記録用紙との間に挿入することが必要な旨の表示を、重送原稿記録用紙の記録終了後に行う。従って、原稿の搬送時に重送が検出された場合に、重送された原稿に記載されている画像を記録した記録用紙である重送原稿記録用紙を、重送がなければ本来あるはずである、重送された原稿の画像が記録される記録用紙が抜けている場所に挿入する必要があることを、画像処理装置の操作者等に対して、容易に気付かせることができる。
【発明を実施するための最良の形態】
【００２５】
以下、本発明の実施の形態における画像処理装置について、図面を参照しながら詳しく説明する。
【００２６】
＜実施の形態１＞
実施の形態１における画像処理装置は、画像読取機能と画像記録機能を備えた画像処理装置であるデジタル複写機である。そこで、まず、実施の形態１に係るデジタル複写機の全体構成について説明する。
【００２７】
＜デジタル複写機の全体構成の説明＞
図１は実施の形態１におけるデジタル複写機１００の内部構成の概略を示している。図１に示すように、デジタル複写機１００は、スキャナ部１０１、記録媒体としての記録用紙Ｐへの画像形成を行う画像形成部１０２、この画像形成部１０２へ記録用紙Pを搬送する用紙搬送機構部１０３、及び、制御部１０４を備えている。尚、図１には図示されていないが、デジタル複写機１００では、スキャナ部１０１の側面にＬＣＤを用いた表示面が上向きの表示部が設けられている。以下、各部について説明する。
【００２８】
＜制御部の説明＞
制御部１０４は、マイクロコンピュータや各種メモリ等のハードウエアと、ＯＳや各種の制御プログラム、アプリケーションプログラム等のソフトウエアで構成されている。この制御部１０４は、上述したスキャナ部１０１、画像形成部１０２、搬送機構部１０３、及び、表示部に対する各種制御を行うほか、デジタル複写機１００全体にかかわる制御も行う。
【００２９】
＜スキャナ部の説明＞
スキャナ部１０１は、原稿送り装置（ＲＡＤＦ：Reversing Automatic Document Feeder）２２と、この原稿送り装置２２により搬送された原稿の画像を読取るためのスキャナユニット２３を備えている。図２は、原稿送り装置２２の断面図である。この原稿送り装置２２は、原稿が載置される原稿トレイ１、中間トレイ２、原稿が排出される原稿排紙トレイ３、及び各トレイ１，２，３間で原稿を搬送する原稿搬送機構４を備えている。
【００３０】
原稿トレイ１には、原稿が載置されているか否かを検出するための線差が備えられており、このセンサにより、制御部１０４は、原稿トレイ１に原稿が載置されているか否かをチェックすることができる。又、原稿搬送機構４は、原稿トレイ１に載置された原稿を、原稿読取箇所５を介して中間トレイ２又は原稿排紙トレイ３へと搬送するための主搬送路６と、中間トレイ２上の原稿を主搬送路６に戻して供給するための副搬送路７とを備えている。
【００３１】
又、原稿搬送機構４には、原稿搬送機構４により搬送される原稿の重送を検出する重送検知センサ２１が備えられている。図３は、この重送検知センサ２１が原稿搬送機構４に取付けられている状態を、模式的に示した説明図である。この重送検知センサ２１は、発光センサ２１ａと受光センサ２１ｂとで構成されており、原稿が搬送される際の原稿の枚数を検出するのに用いられる。即ち、発光センサ２１ａにより発光された光が、搬送される原稿を透過して受光センサ２１ｂで受光されると共に、受光された光の量を電気信号に変換して制御部１０４に送信される。制御部１０４では、この信号から搬送された原稿の枚数が演算により求められる。通常、演算結果は１枚であるが、重送が生じると、同時に重ねて搬送された原稿の枚数が演算により求められる。
【００３２】
主搬送路６の上流端側（原稿トレイ１の排出側に対向する部分）には、呼び込みローラ８及び一対のサバキローラ９が配設されている。呼び込みローラ８は、図２に示す様に連結アーム１０の先端に軸支されており、この連結アーム１０がサバキローラ９の軸に対して回転自在に軸支されている。これにより、呼び込みローラ８がサバキローラ９の軸を回転中心として回転自在に支持され、呼び込みローラ８の昇降が可能にされている。原稿が原稿トレイ１に載置される前は、呼び込みローラ８が上方に移動され、この状態で原稿が原稿トレイ１に載置され、原稿の先端が原稿トレイ１と呼び込みローラ８間に滑り込んで位置Ａに至る。そして、呼び込みローラ８が図１に示す様に下方に移動されると、呼び込みローラ８が原稿の先端近傍に接触する。この後、呼び込みローラ８が回転されると、呼び込みローラ８により原稿トレイ１の原稿が引き出され、この原稿が各サバキローラ９の間を通過して搬送されて行く。
【００３３】
主搬送路６と副搬送路７との合流箇所Ｂよりも下流側には一対のＰＳローラ１１及び搬送ローラ１２が設けられ、更に下流側に原稿読取り装置のプラテンガラス１３が設けられ、このプラテンガラス１３の下方に原稿画像を読取るスキャナユニット２３が設けられている。各ＰＳローラ１１は、その回転を一時的に停止されており、各サバキローラ９の間を経由して来た原稿の先端が該各ＰＳローラ１１に突き当たって、原稿の先端が該各ＰＳローラ１１と平行に揃えられる。そして、各ＰＳローラ１１は、スキャナユニット２３による読取開始時に原稿の先端がプラテンガラス１３に達する様なタイミングで、その回転を開始して、原稿の搬送を開始する。
【００３４】
スキャナユニット２３では、後述するように、プラテンガラス１３を通じて、該プラテンガラス１３上で副走査方向に搬送される原稿を照明し、原稿画像を主走査方向に繰り返し読取って、原稿画像全体を読取る。
【００３５】
プラテンガラス１３の下流側には、搬送ローラ１４及び揺動板１５が設けられており、主搬送経路６における揺動板１５よりも下流側に一対の原稿排紙ローラ１６及び原稿排紙トレイ３が設けられ、副搬送経路７における揺動板１５よりも下流側に一対の搬送ローラ１７及び中間トレイ２が設けられている。プラテンガラス１３上を通過して来た原稿は、搬送ローラ１４、揺動板１５、及び各原稿排紙ローラ１６を通じて原稿排紙トレイ３に排出されるか、あるいは搬送ローラ１４、揺動板１５、及び各搬送ローラ１７を通じて中間トレイ２へと搬送される。
【００３６】
揺動板１５は、上下方向に揺動して、プラテンガラス１３上を通過して来た原稿を原稿排紙トレイ３及び中間トレイ２のいずれかの側に切換て導く。この揺動板１５により原稿が原稿排紙トレイ３側に導かれた場合は、原稿が各原稿排紙ローラ１６を通じて原稿排紙トレイ３に排出される。また、この揺動板１５により原稿が中間トレイ２側に導かれた場合は、原稿が各搬送ローラ１７を通じて中間トレイ２へと搬送され、原稿の先端側が中間トレイ２上に載る。そして、各搬送ローラ１７間に原稿の後端が挟まれているタイミングで、各搬送ローラ１７が停止されて逆回転駆動され、原稿が揺動板１５を介して副搬送経路７へと搬送される。更に原稿が副搬送経路７から主搬送経路６へと搬送されて、原稿の表裏が反転される。そして、原稿は、その先端を各ＰＳローラ１１と平行に揃えられてから、プラテンガラス１３上を通過して、該原稿の裏側の画像を読取られ、各原稿排紙ローラ１６を通じて原稿排紙トレイ１３に排出される。
【００３７】
スキャナユニット２３は、原稿送り装置２２により搬送された原稿の画像の画像を読取るのに用いられる。このスキャナユニット２３は、ランプリフレクタアセンブリ２４、複数の反射ミラー２５ａ，２５ｂ，２５ｃ、光学レンズ体２６、光電変換素子（ＣＣＤ）２７を備えている。
【００３８】
上記ランプリフレクタアセンブリ２４は、プラテンガラス１３上を通過する原稿に対して光を照射するものである。各反射ミラー２５ａ，２５ｂ，２５ｃは、図１に二点鎖線で光路を示すように、原稿からの反射光を一旦図中左方向に反射させた後、下方に反射させ、その後、光学レンズ体２６に向かうように図中右方向に反射させるようになっている。
【００３９】
原稿の画像読取り動作として、プラテンガラス１３上を通過する原稿に対して、ランプリフレクタアセンブリ２４及び反射ミラー２５ａで成る第１走査ユニット２３ａから、原稿全体に光を照射する。この原稿から反射された光は、反射ミラー２５ａで反射され、反射ミラー２５ｂ，２５ｃで成る第２走査ユニット２３ｂの反射ミラー２５ｂ，２５ｃで反射されて、光学レンズ体２６に至り、この光学レンズ体２６を通過した光は光電変換素子２７上に結像され、この光電変換素子２７において反射光が電気信号（原稿画像データ）に変換されるようになっている。そして、このようにして得られた画像データは、制御部（画像処理部）１０４へ送信され、ここで各種処理が行われた後、この制御部１０４のメモリに一旦記憶され、出力指示に応じてメモリ内の画像データが読み出されて画像形成部１０２による画像形成動作に利用される。
【００４０】
＜画像形成部の説明＞
画像形成部１０２は、光ビーム走査装置としてのレーザ書き込みユニット３１及び電子写真プロセス部３２を備えている。レーザ書き込みユニット３１は、上記光電変換素子２７において変換された原稿画像データに基づいたレーザ光を電子写真プロセス部３２の感光体ドラム３３の表面に照射するものである。具体的には、このレーザ書き込みユニット３１は、上記画像データに応じたレーザ光を照射する半導体レーザ光源、このレーザ光を等角速度偏向するポリゴンミラー、この等角速度偏向されたレーザ光が感光体ドラム３３上を等速度で走査するように補正するｆθレンズ等を有している。
【００４１】
感光体ドラム３３は、図１中に矢印で示す方向に回転し、レーザ書き込みユニット３１からのレーザ光が折返しミラー３１ａで反射されて照射されることによってその表面に静電潜像が形成されるようになっている。
【００４２】
また、電子写真プロセス部３２は、上記感光体ドラム３３の周囲に、帯電器３４、現像器３５、転写器３６、除電器３７、剥離器、クリーニング器３８、定着装置３９が配置されて成っている。帯電器３４は、静電潜像が形成される前の感光体ドラム３３の表面を所定の電位に帯電させるようになっている。現像器３５は、感光体ドラム３３の表面に形成された静電潜像を画像形成物質としてのトナーにより可視像に現像するものである。転写器３６は、感光体ドラム３３の表面に形成されたトナー像を記録用紙Ｐに転写するものである。除電器３７は、トナー像が転写された後の記録用紙Ｐを除電してこの記録用紙Ｐが感光体ドラム３３から剥離しやすいようにするものである。クリーニング器３８は、トナー転写後において感光体ドラム３３の表面に残留したトナーを除去するようになっている。定着装置３９は、記録用紙Ｐに転写されたトナー像を加熱により記録用紙Ｐ上に定着させるものである。
【００４３】
これにより、記録用紙Ｐに画像を形成する際には、帯電器３４によって感光体ドラム３３の表面が所定の電位に帯電され、レーザ書き込みユニット３１が画像データに基づいたレーザ光を感光体ドラム３３の表面に照射して都電潜像を形成する。その後、現像器３５が感光体ドラム３３の表面にトナーによる可視像を現像し、用紙搬送機構部１０３から給紙された記録用紙Ｐに対して、転写器３６によってトナー像が転写される。その後、この記録用紙Ｐは定着装置３９によって加熱され、トナー像が定着される。一方、感光体ドラム３３の表面に残留したトナーはクリーニング器３８によって除去される。これにより、記録用紙Ｐへの画像形成動作（印字動作）の１サイクルが終了する。このサイクルが繰り返されることにより、複数枚の記録用紙Ｐ，Ｐ，…に対して連続的に画像形成を行うことができるようになっている。
【００４４】
＜用紙搬送機構部の説明＞
用紙搬送機構部１０３は、第１、第２及び第３の給紙カセット４１，４２，４３、手差しトレイ４４、及び複数の用紙種類を多量に収納可能な大容量給紙カセット６１に収容された記録用紙Ｐ，Ｐ，…を１枚ずつ搬送して上記画像形成部１０２による画像形成を行わせると共に、画像形成された記録用紙Ｐを排紙トレイ５１へ排出するものである。本デジタル複写機は、高速印字処理を行うことを目的としているため、第１、第２及び第３の給紙カセット４１，４２，４３は、定型サイズの記録用紙を各々５００〜１５００枚収容可能な構成となっている。
【００４５】
また、この用紙搬送機構部１０３は、片面に画像形成された記録用紙Pを一旦回収した後に他面に対して画像形成部１０２による画像形成を行わせるための両面複写ユニット４５を備えている。なお、この両面複写ユニット４５は、通常の用紙カセットと交換可能な構成となっており、用紙カセットの搭載台数の増加を図ることができるようになっている。
【００４６】
各給紙カセット４１，４２，４３それぞれには異なるサイズの記録用紙Ｐ，Ｐ，…が収容されており、ユーザが所望するサイズの記録用紙Ｐが収容されている給紙カセットから記録用紙Ｐが順次１枚ずつ取り出されて搬送経路４０を経て画像形成部１０２に搬送されるようになっている。
【００４７】
この用紙搬送機構部１０３の搬送経路４０としては、主搬送路４６とスイッチバック搬送路４７とがある。主搬送路４６は、一端（記録用紙搬送方向の上流端側）が分岐されて各給紙カセット４１，４２，４３、手差しトレイ４４及び大容量給紙カセット６１の排出側にそれぞれ対向していると共に、他端（記録用紙搬送方向の下流端側）が転写器３６及び定着装置３９を経て排紙トレイ５１を備えた後処理装置５０に対向している。
【００４８】
この後処理装置５０には、ステープル処理等の後処理が可能な機構が組み込まれていると共に、記録用紙Ｐを排出する排紙トレイ５１を切換るべく、この排紙トレイ５１を昇降させるための機構が組み込まれている。又、この後処理装置５０には、排紙トレイ５１に排出される記録用紙Ｐの排出位置を、記録用紙Ｐの排出方向と直角の方向に変化させるために、排紙トレイ５１を記録用紙Ｐの排出方向と直角の方向にシフト、即ち、移動させる機構も組み込まれている。そのため、排紙トレイ５１に排出される記録用紙Ｐの排出位置を、記録用紙Ｐの排出方向と直角の方向に変化させることができる。
【００４９】
スイッチバック搬送路４７は、一端（図中の上端）が定着装置３９の配設位置よりも下流側（図中左側）で主搬送路４６に繋がっていると共に、途中部分（図中上下方向の中央部分）が第１及び第２の分岐路４７Ａ，４７Ｂに分岐されている。第１分岐路４７Ａは鉛直下方に延びている。一方、第２分岐路４７Ｂは一端が両面複写ユニット４５の搬入側に対向している。
【００５０】
主搬送路４６とスイッチバック搬送路４７との接続部分及びスイッチバック搬送路４７の分岐部分には第１及び第２の分岐爪４７ａ，４７ｂがそれぞれ設けられている。
【００５１】
第１分岐爪４７ａは、スイッチバック搬送路４７を閉鎖する第１位置と、主搬送路４６の排出側を閉塞して、この主搬送路４６とスイッチバック搬送路４７とを連通させる第２位置との聞で水平軸回りに回動自在となっている。この第１分岐爪４７ａが第１位置にあるときには画像形成部１０２を経た記録用紙Ｐがそのまま排紙トレイ５１へ排紙される。一方第１分岐爪４７ａが第２位置にあるときには画像形成部１０２を経た記録用紙Ｐがスイッチバック搬送路４７へ供給されるようになっている。
【００５２】
第２分岐爪４７ｂは、スイッチバック搬送路４７の第１分岐路４７Ａを開放し且つ第２分岐路４７Ｂを閉鎖する第１位置と、第２分岐路４７Ｂを開放し且つ第１分岐路４７Ａを閉鎖する第２位置との間で水平軸回りに回動自在となっている。この第２分岐爪４７ｂが第１位置にあるときにはスイッチバック搬送路４７に搬送された記録用紙Ｐが第１分岐路４７Ａに導かれてその下端位置まで搬送される。その後、第２分岐爪４７ｂが第２位置となって記録用紙Ｐの搬送方向が逆転されると、この記録用紙Ｐが分岐部を経て第２分岐路４７Ｂに搬送されて両面複写ユニット４５へ供給されるようになっている。つまり、記録用紙Ｐが、第１分岐路４７Ａ及び第２分岐路４７Ｂを経て両面複写ユニット４５へ供給されることにより、この記録用紙Ｐが画像形成部１０２に供給された際に上下が反転され、記録用紙Ｐの裏面に対して画像形成が行えるようになっている。
【００５３】
これにより、本複写機１により片面コピーが行われる場合には、第１分岐爪４７ａが第１位置となり、各用紙カセット４１，４２，４３、手差しトレイ４４または大容量給紙カセット６１から取り出された記録用紙Ｐが、画像形成部１０２により画像形成された後、そのまま排紙トレイ５１へ排紙される。
【００５４】
一方、両面コピーが行われる場合には、先ず、第１分岐爪４７ａが第２位置となり、第２爪４７ｂが第１位置となる。これにより、各用紙カセット４１，４２，４３、手差しトレイ４４または大容量給紙カセット６１から取り出されて画像形成部１０２により片面に画像形成された記録用紙Ｐは、スイッチバック搬送路４７の第1分岐路４７Ａに導かれる。その後、第２分岐爪４７ｂが第２位置となって記録用紙Ｐの搬送方向が逆転され、この記録用紙Ｐが分岐部を経て第２分岐路４７Ｂから両面複写ユニット４５へ供給される。記録用紙Ｐの他而に画像形成を行う際には、第１分岐爪４７ａが第１位置となり、両面複写ユニット４５から取り出された記録用紙Ｐが、画像形成部１０２により画像形成され、排紙トレイ５１へ排紙されるようになっている。
【００５５】
主搬送路４６の上流端（給紙カセット４１，４２，４３、手差しトレイ４４、両面複写ユニット４５、及び大容量給紙カセット６１の排出側に対向する部分）にはピックアップローラ４８が配設されている。また、各ピックアップローラ４８の下流側には、取り出された記録用紙Ｐを主搬送路４６に給紙するための複数の給紙ローラ４９が配設されている。このピックアップローラ４８及び給紙ローラ４９の回転により、給紙カセット４１，４２，４３、手差しトレイ４４、両面複写ユニット４５及び大容量給紙カセット６１に収容されている記録用紙Ｐが選択的に１枚ずつ主搬送路４６に給紙できるようになっている。
【００５６】
＜原稿搬送時の重送発生に対する対策に関する説明＞
上述した実施の形態１におけるデジタル複写機１００では、処理速度を向上させるために、スキャナ部１０１で原稿の読取を行いながら、画像形成部１０２で記録用紙Ｐに画像を記録して後処理装置５０の排紙トレイ５１へ排出する。即ち、原稿の読取と記録用紙Ｐへの記録とは、同時並行で行われる。そこで、スキャナ部１０１の原稿搬送機構４で原稿の重送が生じると、重送された原稿は読取ることができないので、この重送された原稿に記載されている画像の記録用紙Ｐへの記録は行われず、従って、紙トレイ５１へ排出される記録用紙Ｐには、この重送された原稿に記載されている画像が記録された記録用紙Ｐは存在せず、抜けている状態となる。そして、その他の全ての画像の記録が終了した後に、再度、重送された原稿の読取を行って、記録用紙Ｐへ記録して、後処理装置５０の排紙トレイ５１へ排出する。そのため、この場合は、全ての記録が終了した時点で、ページ揃えを行う必要がある。
【００５７】
そこで、上記の重送が生じた場合に、上述したデジタル複写機１００では、本発明の特徴である排出された記録用紙Ｐの頁を揃える作業を容易にすることが可能な工夫がなされている。以下、この部分について説明する。尚、上述したデジタル複写機１００では、表裏の両面に画像の記載がある原稿の読取が可能であるが、ここでは、表面のみに画像の記載のある片面原稿が用いられる場合について説明する。又、実施の形態１では、デジタル複写機１００の通常モードである、１枚の原稿に記載されている画像を１枚の記録用紙Ｐに記録する場合について説明する。この場合、上述したデジタル複写機１００は、前述の単枚葉原稿単頁記録の画像処理装置に相当することになる。
【００５８】
デジタル複写機１００の制御部１０４には、メモリに、図４に示すようなデータマップが備えられている。このデータマップは、デジタル複写機１００のスキャナ部１０１で読取られる原稿の各頁に関する情報を記録するものである。このデータマップの項目としては、原稿頁番号(ＰＡ)、画像データ記憶エリア、画像有無、重送有無、処理終了確認、及び、シフト要有無が用いられる。
【００５９】
原稿頁番号(ＰＡ)は、デジタル複写機１００のスキャナ部１０１で読取られる原稿の頁番号である。画像データ記憶エリアは、当該原稿に記載されている画像が読取られて記憶されるエリアである。この画像データ記憶エリアにおけるＤ(番号)は、当該番号の頁の原稿に記載されている画像を表している。画像有無は、画像データ記憶エリアに、当該原稿から読取られた画像が存在するか否かを示しており、○印が存在有を表す。重送有無は、各原稿がデジタル複写機１００のスキャナ部１０１で読取りのために搬送される際に、重送されたか否かを示す情報で、○印が重送有を表す。処理終了確認は、各原稿の読取に伴う処理が終了しているか否かを示す情報であり、○印が終了していることを表す。そして、シフト要有無は、当該原稿に記載されている画像が記録される記録用紙Ｐが排紙トレイ５１に排出される際に、排紙トレイ５１をシフトして他の記録用紙Ｐの排出位置と異なる排出位置に排出する必要があるか否かのシフト必要性の有無を示しており、○印がシフト要有を表す。
【００６０】
上記のデータマップでは、原稿がデジタル複写機１００のスキャナ部１０１で搬送される毎に、搬送された原稿の原稿頁番号(ＰＡ)が付された行が作成されて記入が行われる。この原稿頁番号(ＰＡ)が付された行を、ＰＡ行と称し、具体的には、例えば、原稿頁番号(ＰＡ)が２のＰＡ行を、ＰＡ２行目と称する。又、原稿が重送されると、重送された原稿全ての原稿頁番号(ＰＡ)のＰＡ行が作成されて記入が行われる。以下の説明では、原稿が１０枚で、その内、６頁目及び７頁目が重なって重送された場合を例にして説明を行うが、図４は、この例の場合の状態を表している。又、本実施の形態では、重送が生じると、最初の原稿読取終了後に、再度の原稿読取が指示されるが、図４は、最初の原稿読取終了後で再度の原稿読取前の状態を表している。
【００６１】
次に、上記のデータマップを用いた、デジタル複写機１００の原稿読取動作、及び、記録用紙Ｐの記録と排出動作について説明する。図５、図６は、実施の形態１におけるデジタル複写機１００の原稿読取動作を示したフローチャートであり、図７、図８は、デジタル複写機１００の記録用紙Ｐの記録及び排出動作を示したフローチャートである。これらの原稿読取動作を示す図５、図６のフローと、記録用紙Ｐの記録及び排出動作を示す図７、図８のフローとは、原稿の読取と記録用紙Ｐへの記録を同時並行で行うようにするため、略同時並行で進行する。又、これらの動作は、制御部１０４の上述したハードウエアとソフトウエアとが協働して動作することにより行われる。
【００６２】
まず、原稿読取動作について説明する。原稿読取動作では、制御用のフラグとして、読取開始フラグＦ１と、重送有フラグＦ２とが用いられる。読取開始フラグＦ１は、デジタル複写機１００が原稿の読取を開始したことを示すフラグであり、重送有フラグＦ２は、原稿の搬送中に重送が発生したことを示すフラグである。
【００６３】
図５、図６において、最初に、読取開始フラグＦ１及び重送有フラグＦ２をリセットした後(Ｆ１＝０，Ｆ２＝０)(Ｓ１)、原稿トレイ１に原稿があるか否か、即ち、原稿トレイ１に原稿が載置されたか否かをチェックする(Ｓ２)。デジタル複写機１００の操作者等により、原稿トレイ１に原稿が載置されると(Ｓ２)、読取開始フラグＦ１をセットする(Ｆ１＝１)(Ｓ３)。
【００６４】
次に、デジタル複写機１００のスキャナ部１０１により、原稿に記載された画像を読取るために、原稿を１枚ずつ頁順に搬送し、この際、搬送された原稿の枚数をチェックする(Ｓ４)。上述したように、原稿が正常に搬送されると、この搬送枚数は１枚であるが、重送が生じると、搬送枚数は複数枚となり、上述したように，同時に重送された原稿の枚数が演算により求められる。この同時に重送された原稿は、前述の重送原稿に相当する。
【００６５】
そこで、Ｓ４のチェックにより、搬送された原稿の枚数が１枚であれば(Ｓ５)、原稿は正常に搬送されているので、スキャナユニット２３で読取られた原稿の画像を、データマップにおける当該搬送された原稿のＰＡ頁に対応するＰＡ行の画像データ記憶エリアに記憶すると共に、画像有無の欄に画像有を記入した後(Ｓ６)、処理終了確認欄に処理終了を記入する(Ｓ７)。上記の例では、これらのＳ６及びＳ７の処理により記入されたデータマップのＰＡ行としては、図４のデータマップにおけるＰＡ１行目〜ＰＡ５行目、及び、ＰＡ８行目〜ＰＡ１０行目が該当する。
【００６６】
Ｓ４のチェックにより、搬送された原稿の枚数が１枚でなければ(Ｓ５)、重送が生じているので、重送有フラグＦ２をセットする(Ｆ２＝１)(Ｓ９)。そして、制御部１０４に設けられているデータマップにおける重送された原稿のＰＡ頁に対応するＰＡ行の重送有無欄に重送有を記入する(Ｓ１０)。
【００６７】
重送は複数枚数の原稿が重なって搬送される状態である。そこで、次に、当該ＰＡ頁が当該重送における複数枚の原稿の最初の頁であるか否かをチェックし(Ｓ１１)、最初の頁であれば、当該ＰＡの１つ(１頁)前のＰＡに対応するデータマップのＰＡ行のシフト要有無欄に、シフト要有を記入する(Ｓ１２)。そして、データマップにおける当該ＰＡ行の処理終了確認欄に処理終了を記入する(Ｓ１３)。
【００６８】
Ｓ１３の処理が終了すると、これらの処理として重送された枚数分の処理が終了したか否かをチェックし(Ｓ１４)、終了していなければ、Ｓ１０に戻って、上記の処理を繰り返す。但し、当該重送における最初の頁でなければ、即ち、２頁目以降であれば(Ｓ１１)、Ｓ１０の処理の後、Ｓ１２の処理を行わないで、直ぐにＳ１３の処理を行う。
【００６９】
上記の例では、原稿の６頁目と７頁目が重なって重送されているので、図４のデータマップにおけるＰＡ６行目の重送有無欄に重送有を記入する(Ｓ１０)。又、原稿の６頁目は当該重送における複数枚の原稿の最初の頁であるので(Ｓ１１)、原稿の６頁目の１頁前の５頁目と対応する図４のデータマップにおけるＰＡ５行目のシフト要有無欄に、シフト要有を記入した後(Ｓ１２)、ＰＡ６行目の処理終了確認欄に処理終了を記入する(Ｓ１３)。又、原稿の７頁目も重送されているので、同様の処理を行うが、原稿の７頁目は、当該重送における複数枚の原稿の最初の頁ではないので、Ｓ１２の処理は行われない。
【００７０】
従って、上記の例では、上記のＳ１０からＳ１３の処理により記入されたＰＡ行としては、図４のデータマップにおけるＰＡ６行目及びＰＡ７行目が該当する。又、Ｓ１２の処理により記入されたＰＡ行としては、ＰＡ５行目が該当する。
【００７１】
原稿が正常に搬送された場合におけるＳ７の処理が終了したか、或いは、重送が生じた場合におけるＳ１０からＳ１３の処理が、重送された枚数分終了すると、まだ搬送されずに原稿トレイ１に残っている原稿があるか否か、即ち、原稿トレイ１に原稿があるか否かをチェックし(Ｓ８)、原稿がある場合は、Ｓ４に戻って、上記の処理を繰り返す。全ての原稿の搬送が終了すると、即ち、原稿トレイ１に原稿がなくなると(Ｓ８)、Ｓ１５へ進む。
【００７２】
Ｓ１５では、重送有フラグＦ２がセットされているか否かをチェックし、セットされていなければ、重送が生じておらず、原稿の搬送及び読取りは正常に行われているので、読取開始フラグＦ１をリセットして(Ｓ２４)、デジタル複写機１００の原稿読取動作を終了する。
【００７３】
Ｓ１５で、重送有フラグＦ２がセットされていれば、重送が生じているので、原稿再読取要表示を、表示部に行う(Ｓ１６)。この場合は、重送された原稿の再読取りが必要なので、重送された原稿は、デジタル複写機１００の操作者等により、再度原稿トレイ１に載置される。そこで、再読取りが必要な原稿が原稿トレイ１に載置されているか否か、即ち、原稿トレイ１に原稿があるか否かをチェックし(Ｓ１７)、原稿が載置されると、表示部の原稿再読取要表示を消すと共に(Ｓ１８)、原稿を載置された頁順に１枚ずつ搬送して、搬送枚数をチェックする(Ｓ１９)。この枚数が１枚でなければ(Ｓ２０)、再度重送が発生したことになり、デジタル複写機１００の原稿搬送機構４の調整が不良であるとみなして、デジタル複写機１００を動作停止とする(Ｓ２１)。
【００７４】
Ｓ１６で搬送枚数が１枚であれば、原稿の搬送は正常であるので、原稿の読取を行い、空欄となっている当該原稿のＰＡ頁に対応するＰＡ行の画像データ記憶エリアに記憶すると共に、同じく空欄となっている画像有無の欄に画像有を記入する(Ｓ２２)。上記の例では、原稿の６頁目と７頁目が重送された頁であり、再読取りの対象となるので、図４のデータマップにおけるＰＡ６行目及びＰＡ７行目の(＊１)の部分が該当する。
【００７５】
Ｓ２２の処理が終了すると、まだ搬送されずに原稿トレイ１に残っている原稿があるか否か、即ち、原稿トレイ１に原稿があるか否かをチェックし(Ｓ２３)、原稿がある場合は、Ｓ１９に戻って、上記の処理を繰り返す。全ての原稿の搬送が終了すると、即ち、原稿トレイ１に原稿がなくなると(Ｓ２３)、読取開始フラグＦ１をリセットして(Ｓ２４)、デジタル複写機１００の原稿読取動作を終了する。
【００７６】
次に、デジタル複写機１００の記録用紙Ｐの記録及び排出動作について説明する。記録用紙Ｐの記録及び排出動作では、制御用のフラグとして、原稿読取動作と同様、読取開始フラグＦ１と、重送有フラグＦ２とが用いられる。
【００７７】
図７、図８において、記録用紙Ｐの記録及び排出動作は、読取動作が行われたことが前提となる。そこで、まず、デジタル複写機１００が読取動作を開始したか否か、即ち、読取開始フラグＦ１がセットされているか否かをチェックし(Ｓ３１)、セットされていれば、デジタル複写機１００における原稿の読取が開始されているので、読取された画像の記録用紙Ｐへの記録動作、及び、記録がなされた記録用紙Ｐの排出動作のフローを開始する。
【００７８】
そして、データマップからＰＡの若い順に１つ(１行)のＰＡ行のデータを読出し(Ｓ３２)、読出された当該ＰＡ行のデータが処理終了済であるか否か、即ち、当該ＰＡ行の処理終了確認欄における処理終了の記入の有無をチェックする(Ｓ３３)。これは、上述したように、原稿の読取と記録用紙Ｐへの記録とは同時並行で行われるので、記録用紙Ｐへの記録に際して、記録すべき画像の原稿からの読取が終了していることを確認する必要があるからである。
【００７９】
当該ＰＡ行のデータが処理終了済であれば(Ｓ３３)、次に、データマップおいて、当該ＰＡ行に対応する原稿の頁は重送された頁であるか否か、即ち、当該ＰＡ行の重送有無欄に重送有の記入がなされているか否かをチェックする(Ｓ３４)。重送された頁であれば、当該ＰＡ行に対応する原稿の画像は、記録用紙Ｐに記録を行う必要がないので、Ｓ３９へ進む。
【００８０】
上記の例では、図４のデータマップにおいて、ＰＡ６行目とＰＡ７行目の重送有無欄に重送有の記入がなされており、これらのＰＡ６行目とＰＡ７行目と対応する原稿の６頁目と７頁目に記載されている画像は、この段階では、記録用紙Ｐに記録されず、該記録用紙Ｐの排出もないことになる。
【００８１】
当該ＰＡ行に対応する原稿の頁が重送された頁でなければ(Ｓ３４)、記録用紙Ｐを給紙カセットから画像形成部１０２へ搬送して、データマップにおける当該ＰＡ行の画像データ記憶エリアに記憶されている画像を、記録用紙Ｐへ記録する(Ｓ３５)。上記の例では、当該ＰＡ行としては、図４のデータマップにおけるＰＡ１行目〜ＰＡ５行目及びＰＡ８行目〜ＰＡ１０行目が該当する。そして、更に、データマップにおける当該ＰＡ行のシフト要有無欄にシフト要有が記入されているか否かをチェックし(Ｓ３６)、シフト要有が記入されていなければ、記録済の記録用紙Ｐが後処理装置５０に搬送された後、そのまま記録用紙Ｐを排紙トレイ５１に排出して(Ｓ３７)、Ｓ３９へ進む。
【００８２】
図９は、実施の形態１における記録用紙Ｐが排紙トレイ５１に排出された状態を、排紙トレイ５１の上方から見た図であり、各図における矢印は、記録用紙Ｐの排出方向を示している。図９(ａ)は、上記の例の場合に、Ｓ３７で、記録用紙Ｐが排紙トレイ５１に排出された状態を示したものであり、記録用紙Ｐは、排紙トレイ５１における通常の排出位置７１に排出されている。
【００８３】
上記の当該ＰＡ行のシフト要有無欄に、シフト要有が記入されていれば(Ｓ３６)、記録済の当該記録用紙Ｐが後処理装置５０に搬送された際に、まず、排紙トレイ５１を記録用紙Ｐの排出方向に対して直角の方向に左にシフトさせて記録用紙Ｐを排出し、排出後は再び元の位置に戻す処理を行う(Ｓ３８)。即ち、このようなシフト要有無欄にシフト要有が記入されているＰＡ行と対応する原稿のＰＡ頁に記載されている画像が記録される記録用紙Ｐが、前述の重送前原稿記録用紙に相当する。
【００８４】
この重送前原稿記録用紙は、排紙トレイ５１に排出の際、上述したように、他の記録用紙とは異なる排出位置に排出される。これは、原稿の搬送時における重送により、この原稿の画像が記録用紙Ｐに記録されず、後で記録されるので、頁揃えを行う必要があるが、この頁揃えを行う際に、記録された記録用紙Ｐを、手作業で先に記録された記録用紙Ｐの本来あるべき記録用紙Ｐ間に、容易に挿入できるようにするための目印とするために行われる。
【００８５】
上記の例では、ＰＡ５行目のシフト要有無欄に、シフト要有が記入されており、原稿の５頁目の画像が記録される記録用紙Ｐ、即ち、ＰＡ５行目と対応する記録用紙Ｐの５頁目が重送前原稿記録用紙となり、他の記録用紙と異なる排紙トレイ５１の排出位置に排出される。図９(ｂ)は、上記の例の場合に、重送前原稿記録用紙である記録用紙Ｐの５頁目が、Ｓ３８で排紙トレイ５１に排出された状態を示したものであり、Ｓ３８で排出された記録用紙Ｐは、その他の記録用紙Ｐの位置よりも右側に寄った、シフトされた排出位置７２に位置している。
【００８６】
上記のようにしてＳ３８の処理が終了すると、Ｓ３９へ進む。Ｓ３９では、データマップの全てのＰＡ行のデータが読出されたか否かをチェックし、データマップの全てのＰＡ行のデータが読出されていなければ、Ｓ３２へ戻って、上記の処理を繰り返す。
【００８７】
図９(ｃ)は、上記の例の場合に、Ｓ３８で記録用紙Ｐが排紙トレイ５１に排出された以降に、排紙トレイ５１に排出された記録用紙Ｐの排出状態を示したものであり、これらの記録用紙Ｐは、排紙トレイ５１における通常の排出位置７１に排出されている。そして、この状態では、先にＳ３８で排出された記録用紙Ｐである重送前原稿記録用紙のみが、排紙トレイ５１におけるシフトされた排出位置７２に位置しており、右側にはみ出た状態となっている。
【００８８】
Ｓ３９でデータマップの全てのＰＡ行のデータが読出されていれば、Ｓ４０へ進む。Ｓ４０では、重送有フラグＦ２がセットされているか否かをチェックし、Ｆ２がセットされていなければ、原稿搬送の際に重送は生じておらず、記録用紙Ｐへの記録及び排出は全て終了しているので、処理を終了する。
【００８９】
Ｓ４０で、重送有フラグＦ２がセットされていると、原稿搬送の際に重送が生じており、重送された原稿が再読取りされるので、この再読取りされた原稿の画像を記録用紙Ｐへ記録する必要がある。そこで、データマップから重送有無欄に重送有が記入されているＰＡ行のデータを、ＰＡの若い順に１つ(１行)読み出し(Ｓ４１)、読み出したデータに、画像の記録があるか否か、即ち、当該ＰＡ行の画像有無欄に画像有の記入があるか否かをチェックする(Ｓ４２)。画像有の記入がなければ、当該ＰＡ原稿からの画像の読取りが終了していないので、読取りが終了するまで待って、画像の読取りが終了後、記録用紙Ｐを給紙カセットから画像形成部１０２へ搬送して、データマップにおける当該ＰＡ行の画像データ記憶エリアに記憶されている画像を、記録用紙Ｐへ記録する(Ｓ４３)。
【００９０】
上記の例では、図４のデータマップにおけるＰＡ６行目及びＰＡ７行目の重送有無欄に重送有が記入されているので、原稿の６頁目と７頁目の画像がＳ４３の処理により、記録用紙Ｐに記録される。この記録用紙Ｐが、前述の重送原稿記録用紙である。
【００９１】
Ｓ４３で記録された重送原稿記録用紙が、後処理装置５０に搬送されると、排紙トレイ５１を記録用紙Ｐの排出方向に対して直角の方向にシフトさせて、重送原稿記録用紙を排出し、排出後は、再び元の位置に戻す処理を行う(Ｓ４４)。このように、この処理により、再読取りされた画像が記録された重送原稿記録用紙は、排紙トレイ５１における排出位置が、その他の記録用紙と異なる排出位置に排出される。これは、デジタル複写機１００の操作者等が、再読取りされた画像が記録された重送原稿記録用紙を、その他の記録用紙と容易に識別できるようにするためである。
【００９２】
図９(ｄ)は、上記の例の場合に、Ｓ４４で、記録用紙Ｐが排紙トレイ５１に排出された状態を示したものであり、原稿の６頁目と７頁目の画像が記録された重送原稿記録用紙が、その他の記録用紙の位置よりも右側に寄った、シフトされた排出位置７２に位置している。
【００９３】
Ｓ４４の処理が終了すると、データマップの全てのＰＡのデータが読出されたか否かをチェックし(Ｓ４５)、データマップの全てのＰＡ行のデータが読出されていなければ、Ｓ４１へ戻って、上記の処理を繰り返す。データマップの全てのＰＡ行のデータが読出されていれば(Ｓ４５)、記録済の記録用紙Ｐの頁を揃え直す必要がある旨の表示を、表示部に行った後(Ｓ４６)、重送有フラグＦ２をリセットして(Ｓ４７)、デジタル複写機１００の記録用紙Ｐの記録及び排出動作を終了する。
【００９４】
上記の実施の形態１によれば、原稿の搬送時に重送が検出されると、重送原稿の中で最初に搬送された原稿の直前に搬送された原稿に記載されている画像が記録済の記録用紙である重送前原稿記録用紙のみを、排紙トレイにおける排出位置が、その他の記録済の記録用紙と異なるように排出する。そのため、重送前原稿記録用紙は、その他の記録済記録用紙と簡単に見分けることができる。この重送前原稿記録用紙と、該重送前原稿記録用紙の直後に排出された記録済の記録用紙との間は、重送がなければ本来あるはずの、重送された原稿に記載されている画像が記録される記録用紙が位置する場所である。従って、重送された原稿に記載されている画像を記録した記録用紙が挿入される場所を、画像処理装置の操作者等が、容易に見つけることができる。
【００９５】
又、原稿の搬送時に重送が検出されると、重送された原稿を再読取させることが必要な旨の表示を行うので、画像処理装置の操作者等に対して、重送された原稿の再読取を催促することができる。又、重送原稿記録用紙が全て、排紙トレイにおける排出位置を、重送前原稿記録用紙を除く既に排出されているその他の記録済の記録用紙と異なるように排出される。従って、重送された原稿に記載されている画像が記録されている重送原稿記録用紙を、画像処理装置の操作者等が、容易に見つけることができる。
【００９６】
又、記録済の記録用紙の頁番号を揃えるために、記録済の記録用紙のページ番号を揃えることが必要な旨の表示を、重送原稿記録用紙の記録終了後に行う。従って、原稿の搬送時に重送が検出された場合に、記録済の記録用紙のページ番号を揃えることが必要であることを、画像処理装置の操作者等に対して、容易に気付かせることができる。
【００９７】
上記の実施の形態１において、記録される部数が１部の場合、或いは、記録される部数が複数部数の場合で、最初の１部の場合は、処理速度を向上させるために、原稿の読取と記録用紙への記録とは、同時並行で行われる。そこで、重送が生じた場合には、上述したような処理がなされて、重送された原稿に記載されている画像の記録用紙への記録は、正常に搬送された原稿に記載されている画像の記録用紙への記録が全て終了した後に行われる。そのため、上述したような、記録用紙の頁を揃え直す必要が出てくる。
【００９８】
しかし、記録される部数が複数部数の場合で、最初の１部を除く残りの部数の場合は、原稿搬送時に重送が生じていたとしても、２部目を記録する時点で、全ての原稿の画像が読取られているので、原稿のページ順に従って、原稿に記載されていた画像を記録用紙へ記録することができる。従って、この場合は、記録用紙の頁を揃え直す必要は生じない。
【００９９】
そこで、処理速度の向上を多少犠牲にして、全ての原稿の画像が読取られた後、原稿に記載されている画像を記録用紙へ記録する方式を採用し、重送が生じた場合も、再読取により、全ての原稿の画像が読取られて揃った時点で、記録用紙へ記録することにすれば、記録用紙の頁を揃え直す必要をなくすことができる。
【０１００】
又、上記の実施の形態１において、原稿の搬送時に重送が検出された場合に、重送原稿記録用紙の記録終了後に行われる記録済の記録用紙のページ番号を揃えることが必要な旨の表示に代えて、重送原稿記録用紙を、重送前原稿記録用紙と、該重送前原稿記録用紙の直後に排出された記録済の記録用紙との間に挿入することが必要な旨の表示を行うようにしてもよい。このようにすることにより、重送された原稿に記載されている画像を記録した記録用紙である重送原稿記録用紙を、重送がなければ本来あるはずである、重送された原稿の画像が記録される記録用紙が抜けている場所に挿入する必要があることを、画像処理装置の操作者等に対して、容易に気付かせることができる。
【０１０１】
＜実施の形態２＞
実施の形態２では、実施の形態１と同じく、上述したデジタル複写機１００が用いられる。又、実施の形態２においても、表面のみに画像の記載のある片面原稿が用いられる場合について説明する。実施の形態２が実施の形態１と異なるのは、例えば、図１０(ａ)のように、頁が連続した複数枚の原稿に記載されている画像を、図１０(ｂ)のように、まとめて、１枚の記録用紙Ｐに記録する点である。即ち、実施の形態２では、１枚の記録用紙Ｐに複数枚の原稿に記載されている画像をまとめて記録する、デジタル複写機１００の特殊モードが用いられる。この場合、上述したデジタル複写機１００は、前述の多枚葉原稿単頁記録の画像処理装置に相当することになる。ここでは、図１０(ｂ)に示すように、１枚の記録用紙Ｐに４枚の原稿に記載された画像が記録される場合を例にして説明する。尚、図１０(ａ)のＰＡは、実施の形態１と同様、原稿の頁番号であり、図１０(ｂ)のＰＢは、記録用紙Ｐの頁番号である。
【０１０２】
又、実施の形態２においても、実施の形態１と同様のデータマップが用いられるが、実施の形態２で用いられるデータマップは、実施の形態１のデータマップで用いられた項目のほか、原稿に記載されている画像が記録される記録用紙Ｐの頁番号を表す、記録用紙頁番号(ＰＢ)と、原稿に記載されている画像が記録用紙Ｐに記録される配列順番を表す、記録用紙Ｐにおける配列順(ＰＣ)の項目が用いられる。図１１は、実施の形態２で用いられるこのデータマップを示したものである。
【０１０３】
上記のデータマップは、実施の形態１と同様、原稿がデジタル複写機１００のスキャナ部１０１で搬送される毎に、搬送された原稿の頁番号である原稿頁番号(ＰＡ)の欄が作成されて記入が行われる。又、原稿が重送されると、重送された原稿全ての原稿頁番号(ＰＡ)の欄が作成されて記入が行われる点も、実施の形態１と同様である。又、記録用紙頁番号(ＰＢ)、及び、記録用紙における配列順(ＰＣ)は、原稿の原稿頁番号(ＰＡ)の欄が作成される際に、次の計算式によりＰＡから自動的に計算されて記入される。但し、Ｍは、記録用紙１枚に記録される画像が記載された原稿の枚数であり、上記の例では、Ｍ＝４となる。又、Ｉｎｔ［ｘ］は、ｘの整数部分、ｘ％ｙは、ｘをｙで除した余を表す。
【０１０４】
ＰＢ＝Ｉｎｔ［（ＰＡ＋Ｍ−１）／ Ｍ ］      (１)
ＰＣ＝（ＰＡ＋Ｍ−１）％ Ｍ ＋１            (２)
以下の説明では、原稿が１８枚で、その内、１１頁目及び１２頁目が重なって重送された場合を例にして説明を行うが、図１１は、この例の場合の状態を表している。又、本実施の形態では、重送が生じると、最初の原稿読取終了後に、再度の原稿読取が指示されるが、図１１は、実施の形態１と同様、最初の原稿読取終了後で再度の原稿読取前の状態を表している。
【０１０５】
尚、実施の形態２では、データマップにおいて、ＰＢ欄に同一のＰＢの値が記入されている全てのＰＡ行を、この同一のＰＢに対するＰＢ同一ＰＡ行と称する。例えば、図１１のデータマップにおいて、ＰＡ５行目からＰＡ８行目のＰＢ欄には、同一のＰＢの値であるＰＢ２が記入されているので、ＰＡ５行目からＰＡ８行目は全て、ＰＢ２に対するＰＢ同一ＰＡ行である。
【０１０６】
次に、上記のデータマップを用いた、デジタル複写機１００の原稿読取動作、及び、記録用紙Ｐの記録と排出動作について説明する。図１２、図１３は、実施の形態２におけるデジタル複写機１００の原稿読取動作を示したフローチャートであり、図１４、図１５は、デジタル複写機１００の記録用紙Ｐの記録及び排出動作を示したフローチャートである。これらの原稿読取動作を示す図１２、図１３のフローと、記録用紙Ｐの記録及び排出動作を示す図１４、図１５のフローとは、原稿の読取と記録用紙Ｐへの記録を同時並行で行うようにするため、略同時並行で進行する。又、これらの動作は、制御部１０４の上述したハードウエアとソフトウエアとが協働して動作することにより行われる。
【０１０７】
まず、原稿読取動作について説明する。原稿読取動作では、制御用のフラグとして、実施の形態１と同様、読取開始フラグＦ１と、重送有フラグＦ２とが用いられる。読取開始フラグＦ１は、デジタル複写機１００が原稿の読取を開始したことを示すフラグであり、重送有フラグＦ２は、原稿の搬送中に重送が発生したことを示すフラグである。
【０１０８】
図１２、図１３において、最初に、読取開始フラグＦ１及び重送有フラグＦ２をリセットした後(Ｆ１＝０，Ｆ２＝０)(Ｓ５１)、原稿トレイ１に原稿があるか否か、即ち、原稿トレイ１に原稿が載置されたか否かをチェックする(Ｓ５２)。デジタル複写機１００の操作者等により、原稿トレイ１に原稿が載置されると(Ｓ５２)、読取開始フラグＦ１をセットする(Ｆ１＝１)(Ｓ５３)。
【０１０９】
次に、デジタル複写機１００のスキャナ部１０１により、原稿に記載された画像を読取るために、原稿を１枚ずつ頁順に搬送し、この際、搬送された原稿の枚数をチェックする(Ｓ５４)。上述したように、原稿が正常に搬送されると、この搬送枚数は１枚であるが、重送が生じると、搬送枚数は複数枚となり、上述したように，同時に重送された原稿の枚数が演算により求められる。この同時に重送された原稿は、前述の重送原稿に相当する。
【０１１０】
そこで、Ｓ５４のチェックにより、搬送された原稿の枚数が１枚であれば(Ｓ５５)、まず、搬送された頁のＰＡからＰＢ及びＰＣを計算して、データマップのＰＡ行のＰＢ欄及びＰＣ欄に記入する(Ｓ５６)。そして、搬送された原稿の枚数が１枚であるので、原稿は正常に搬送されており、スキャナユニット２３で読取られた原稿の画像を、データマップにおける当該搬送された原稿のＰＡ頁に対応するＰＡ行の画像データ記憶エリアに記憶すると共に、画像有無の欄に画像有を記入した後(Ｓ５７)、処理終了確認欄に処理終了を記入する(Ｓ５８)。上記の例では、これらのＳ５６〜Ｓ５８の処理により記入されたＰＡ行としては、図１１のデータマップにおけるＰＡ１行目〜ＰＡ１０行目、及び、ＰＡ１３行目〜ＰＡ１８行目が該当する。
【０１１１】
Ｓ５４のチェックにより、搬送された原稿の枚数が１枚でなければ(Ｓ５５)、重送が生じているので、重送有フラグＦ２をセットする(Ｆ２＝１)(Ｓ６０)。そして、重送されたＰＡ頁に対応するＰＡからＰＢ及びＰＣを計算して、データマップの当該ＰＡ行のＰＢ欄及びＰＣ欄に記入した後(Ｓ６１)、重送有無欄に重送有を記入する(Ｓ６２)。
【０１１２】
重送は複数枚数の原稿が重なって搬送される状態である。そこで、次に、当該ＰＡ頁が当該重送における複数枚の原稿の最初の頁か否かをチェックし(Ｓ６３)、最初の頁であれば、Ｓ６４の処理を行う。Ｓ６４では、データマップにおいて、当該ＰＡ頁と対応するＰＡ行のＰＢ欄に記入されている当該ＰＢの値の１つ(１頁)前のＰＢの値を有するＰＢである前頁ＰＢに対するＰＢ同一ＰＡ行について、このＰＢ同一ＰＡ行の各ＰＡ行のシフト要有無欄に、シフト要有を記入する(Ｓ６４)。そして、データマップにおける当該ＰＡの処理終了確認欄に処理終了を記入する(Ｓ６５)。
【０１１３】
Ｓ６５の処理が終了すると、これらの処理として、重送された枚数分の処理が終了したか否かをチェックし(Ｓ６６)、終了していなければ、Ｓ６１に戻って、上記の処理を繰り返す。但し、当該ＰＡ頁が当該重送における最初の頁でなければ、即ち、２頁目以降の頁であれば(Ｓ６３)、Ｓ６２の処理の後、Ｓ６４の処理を行わないで、直ぐにＳ６５の処理を行う。
【０１１４】
上記の例では、原稿の１１頁目と１２頁目が重なって重送されているので、まず、図１１のデータマップのＰＡ１１行目の重送有無欄に重送有を記入する(Ｓ６２)。そして、ＰＡ１１頁は、当該重送における複数枚の原稿の最初の頁であるから(Ｓ６３)、Ｓ６４の処理を行う。このＳ６４の処理では、ＰＡ１１頁の原稿に記載された画像が記録される記録用紙Ｐの頁番号は、図１１のデータマップのＰＡ１１行目のＰＢ欄に記入されている３である。即ち、ＰＢ３頁の記録用紙Ｐに、ＰＡ１１頁の原稿に記載された画像が記録される。
【０１１５】
そこで、ＰＢ３頁の１頁前であるＰＢ２頁が上記の前頁ＰＢであり、このＰＢ２頁に対応するＰＢ２に対するＰＢ同一ＰＡ行の各ＰＡ行のシフト要有無欄に、シフト要有を記入する(Ｓ６４)。このシフト要有の記入が終了すると、データマップのＰＡ１０行目の処理終了確認欄に処理終了を記入する(Ｓ６５)。
【０１１６】
上記の例では、重送された頁は、ＰＡ１１頁と、ＰＡ１２頁であるので、次に、ＰＡ１２についても、上記と同様の処理を行うが(Ｓ６６)、ＰＡ１２の頁は、当該重送における複数枚の原稿の最初の頁ではないので(Ｓ６３)、Ｓ６４の処理は行わない。即ち、上記のＳ６１からＳ６５の処理により記入されたＰＡ行としては、図１１のデータマップにおけるＰＡ１１行目、及び、ＰＡ１２行目が該当する。又、Ｓ６４の処理により記入されたＰＡ行としては、ＰＡ５行目〜ＰＡ８行目が該当する。
【０１１７】
原稿が正常に搬送された場合におけるＳ５６からＳ５８の処理が終了したか、或いは、重送が生じた場合におけるＳ６１からＳ６５の処理が重送された枚数分終了すると(Ｓ６６)、まだ搬送されずに原稿トレイ１に残っている原稿があるか否か、即ち、原稿トレイ１に原稿があるか否かをチェックし(Ｓ５９)、原稿がある場合は、Ｓ５４に戻って、上記の処理を繰り返す。全ての原稿の搬送が終了すると、即ち、原稿トレイ１に原稿がなくなると(Ｓ５９)、Ｓ６０へ進む。
【０１１８】
次に行われるＳ６０からＳ６９までの処理は、実施の形態１におけるＳ１５からＳ２４と略同内容である。即ち、Ｓ６０では、重送有フラグＦ２がセットされているか否かをチェックし、セットされていなければ、重送が生じておらず、原稿の搬送及び読取りは正常に行われているので、読取開始フラグＦ１をリセットして(Ｓ６９)、デジタル複写機１００の原稿読取動作を終了する。
【０１１９】
Ｓ６０で、重送有フラグＦ２がセットされていれば、重送が生じているので、原稿再読取要表示を、表示部に行う(Ｓ６１)。この場合は、重送された原稿の再読取りが必要なので、重送された原稿は、デジタル複写機１００の操作者等により、再度原稿トレイ１に載置される。そこで、再読取りが必要な原稿が原稿トレイ１に載置されているか否か、即ち、原稿トレイ１に原稿があるか否かをチェックし(Ｓ６２)、原稿が載置されると、表示部の原稿再読取要表示を消すと共に(Ｓ６３)、原稿を載置された頁順に１枚ずつ搬送して、搬送枚数をチェックする(Ｓ６４)。この枚数が１枚でなければ(Ｓ６５)、再度重送が発生したことになり、デジタル複写機１００の原稿搬送機構４の調整が不良であるとみなして、デジタル複写機１００を動作停止とする(Ｓ６６)。
【０１２０】
Ｓ６５で搬送枚数が１枚であれば、原稿の搬送は正常であるので、原稿の読取を行い、データマップにおいて、空欄となっている当該原稿のＰＡ頁に対応するＰＡ行の画像データ記憶エリアに記憶すると共に、同じく空欄となっている画像有無の欄に画像有を記入する(Ｓ６７)。上記の例では、原稿の１１頁目と１２頁目が重送された頁であり、再読取りの対象となるので、図１１のデータマップにおける(＊２)の部分が該当する。
【０１２１】
Ｓ６７の処理が終了すると、まだ搬送されずに原稿トレイ１に残っている原稿があるか否か、即ち、原稿トレイ１に原稿があるか否かをチェックし(Ｓ６８)、原稿がある場合は、Ｓ６４に戻って、上記の処理を繰り返す。全ての原稿の搬送が終了すると、即ち、原稿トレイ１に原稿がなくなると(Ｓ６８)、読取開始フラグＦ１をリセットして(Ｓ６９)、デジタル複写機１００の原稿読取動作を終了する。
【０１２２】
次に、デジタル複写機１００の記録用紙Ｐの記録及び排出動作について説明する。記録用紙Ｐの記録及び排出動作では、制御用のフラグとして、実施の形態１と同じく、原稿読取動作と同様、読取開始フラグＦ１と、重送有フラグＦ２とが用いられる。
【０１２３】
図１４、図１５において、記録用紙Ｐの記録及び排出動作は、読取動作が行われたことが前提となる。そこで、まず、デジタル複写機１００が読取動作を開始したか否か、即ち、読取開始フラグＦ１がセットされているか否かをチェックし(Ｓ８１)、セットされていれば、デジタル複写機１００における原稿の読取が開始されているので、読取された画像の記録用紙Ｐへの記録動作、及び、記録がなされた記録用紙Ｐの排出動作のフローを開始する。
【０１２４】
そして、データマップにおいて、ＰＢ欄に記入されているＰＢの若い順に１つの当該ＰＢに対して、当該ＰＢに対するＰＢ同一ＰＡ行の全てのＰＡ行のデータを読出す(Ｓ８２)。上記の例では、図１１のデータマップから分かる通り、ＰＢ同一ＰＡ行、即ち、ＰＢ欄に記入されているＰＢの値が同一であるＰＡ行は、それぞれのＰＢについて、通常４つ存在する。
【０１２５】
そして、Ｓ８２で読出された、当該ＰＢに対するＰＢ同一ＰＡ行の全てのＰＡ行のデータが処理終了済であるか否か、即ち、当該ＰＢに対するＰＢ同一ＰＡ行の全てのＰＡ行の処理終了確認欄における処理終了の記入の有無をチェックする(Ｓ８３)。これは、上述したように、原稿の読取と記録用紙Ｐへの記録とが、同時並行で行われるので、記録用紙Ｐへの記録に際して、記録すべき画像の原稿からの読取が終了していることを確認する必要があるからである。
【０１２６】
当該ＰＢに対するＰＢ同一ＰＡ行の全てのＰＡ行のデータが処理終了済であれば(Ｓ８３)、Ｓ８４に進む。Ｓ８４では、当該ＰＢに対するＰＢ同一ＰＡ行の全てのＰＡ行と対応する原稿の頁の中に、重送された頁がないか、即ち、当該ＰＢに対するＰＢ同一ＰＡ行の少なくともいずれかのＰＡ行の重送有無欄に、重送有の記入がなされているか否かをチェックする(Ｓ８４)。これは、当該ＰＢと対応する当該ＰＢ頁の記録用紙Ｐに記録される画像が記載されている原稿の中に、重送されたものがあるか否かをチェックするものである。重送された頁があれば、当該ＰＢと対応する当該ＰＢ頁の記録用紙Ｐに対する記録を行う必要がないので、Ｓ８９へ進む。
【０１２７】
上記の例では、図１１のデータマップにおいて、ＰＢ３が当該ＰＢの場合(Ｓ８２)、ＰＢ３に対するＰＢ同一ＰＡ行の全てのＰＡ行は、ＰＡ９行目〜ＰＡ１２行目である。この内、ＰＡ１１行目及びＰＡ１２行目の重送有無欄には、重送有の記入がなされている(Ｓ８４)。そこで、この場合は、当該ＰＢであるＰＢ３と対応するＰＢ３頁の記録用紙Ｐに対する記録の必要はなく、ＰＢ３頁の記録用紙Ｐに記録されるはずであった原稿のＰＡ９頁〜ＰＡ１２頁の画像は、この段階では、記録用紙Ｐに記録されず該記録用紙Ｐの排出もないことになる。即ち、図１１のデータマップにおいて、当該ＰＢとしては、ＰＢ３が該当し、このＰＢ３と対応するＰＢ３ページの記録用紙Ｐに記録される画像の原稿の頁と対応する当該ＰＡ行としては、ＰＡ９行目〜ＰＡ１２行目が該当する。又、このＰＡ９行目〜ＰＡ１２行目と対応するＰＡ９頁〜ＰＡ１２頁の４枚の原稿が、前述の同時記録原稿に相当する。
【０１２８】
当該ＰＢに対するＰＢ同一ＰＡ行の全てのＰＡ行と対応する原稿の頁の中に、重送された頁がなければ(Ｓ８４)、記録用紙Ｐを給紙カセットから画像形成部１０２へ搬送して、データマップにおける当該ＰＢに対するＰＢ同一ＰＡ行の全てのＰＡ行の画像データ記憶エリアに記憶されている画像を、ＰＣの配列順に配列されるようにして、記録用紙Ｐへ記録する(Ｓ８５)。
【０１２９】
上記の例では、図１１のデータマップにおいて、当該ＰＢとしては、ＰＢ１，ＰＢ２，ＰＢ４及びＰＢ５が該当し、当該ＰＢと対応するＰＢ１頁，ＰＢ２頁，ＰＢ４頁及びＰＢ５頁の記録用紙Ｐに記録される画像の原稿に対応するＰＡ行、即ち、当該ＰＢに対するＰＢ同一ＰＡ行としては、ＰＡ１行目〜ＰＡ８行目、及び、ＰＡ１３行目〜ＰＡ１８行目が該当する。
【０１３０】
Ｓ８５の処理が終了すると、当該ＰＢに対するＰＢ同一ＰＡ行の全てのＰＡ行のシフト要有無欄に、シフト要有が記入されているか否かをチェックし(Ｓ８６)、シフト要有が記入されていなければ、Ｓ８５で記録された記録用紙Ｐを後処理装置５０に搬送した後、そのまま排紙トレイ５１に排出して(Ｓ８７)、Ｓ８９へ進む。
【０１３１】
実施の形態２における記録用紙Ｐが排紙トレイ５１に排出された状態は、実施の形態１と同じである。即ち、実施の形態２における記録用紙Ｐが排紙トレイ５１に排出された状態を、排紙トレイ５１の上方から見た図は、実施の形態１と同じく、図９のようになる。各図における矢印は、記録用紙Ｐの排出方向を示している。又、図９(ａ)は、上記の例の場合に、Ｓ８７で、記録用紙Ｐが排紙トレイ５１に排出された状態を示したものであり、記録用紙Ｐは、排紙トレイ５１における通常の位置７１に排出されている。
【０１３２】
Ｓ８６で、当該ＰＢに対するＰＢ同一ＰＡ行の全てのＰＡ行のシフト要有無欄にシフト要有が記入されていれば、当該ＰＢと対応する記録済のＰＢ頁の記録用紙Ｐが後処理装置５０に搬送された際に、排紙トレイ５１を記録用紙Ｐの排出方向に対して直角の方向に左にシフトさせて、記録用紙Ｐを排出し、排出後は、再び元の位置に戻す処理を行う(Ｓ８８)。当該ＰＢに対するＰＢ同一ＰＡ行の全てのＰＡ行のシフト要有無欄に、シフト要有が記入されている当該ＰＢと対応するＰＢ頁の記録用紙Ｐが、前述の重送前原稿記録用紙に相当する。
【０１３３】
上記の例では、図１１のデータマップにおいて、当該ＰＢに対するＰＢ同一ＰＡ行の全てのＰＡ行のシフト要有無欄にシフト要有が記入されている当該ＰＢとしては、ＰＢ３が該当し、当該ＰＢ３に対するＰＢ同一ＰＡ行としては、ＰＡ９行目〜ＰＡ１２行目が該当する。又、ＰＢ３に対応するＰＢ３頁の記録用紙Ｐが、前述の重送前原稿記録用紙に相当する。又、図９(ｂ)は、上記の例の場合に、当該ＰＢと対応する該ＰＢ頁の記録用紙Ｐが、Ｓ８８で排紙トレイ５１に排出された状態を示したものであり、Ｓ８８で排出された記録用紙Ｐは、その他の記録用紙Ｐの位置よりも右側に寄った、シフトされた排出位置７２に位置している。
【０１３４】
上記の重送前原稿記録用紙は、排紙トレイ５１に排出の際、上述したように、他の記録用紙とは異なる排出位置に排出される。これは、原稿の搬送時における重送により、この原稿の画像が記録用紙Ｐに記録されず、後で記録されるので、頁揃えを行う必要があるが、この頁揃えを行う際に、記録された記録用紙Ｐを、手作業で先に記録された記録用紙Ｐの本来あるべき記録用紙間に、容易に挿入できるようにするための目印とするために行われる。
【０１３５】
上記のようにしてＳ８８の処理が終了すると、Ｓ８９へ進む。Ｓ８９では、データマップの全てのＰＡ行のデータが読出されたか否かをチェックし、データマップの全てのＰＡ行のデータが読出されていなければ、Ｓ３２へ戻って、上記の処理を繰り返す。
【０１３６】
図９(ｃ)は、上記の例の場合に、Ｓ８８で記録用紙Ｐが排紙トレイ５１に排出された以降に、排紙トレイ５１に排出された記録用紙Ｐの排出状態を示したものであり、これらの記録用紙Ｐは、通常の排出位置７１に排出されている。そして、この状態では、先にＳ８８で排出された記録用紙Ｐである重送前原稿記録用紙のみが、排紙トレイ５１におけるシフトされた排出位置７２に位置しており、右側にはみ出た状態となっている。
【０１３７】
Ｓ８９でデータマップの全てのＰＡのデータが読出されていれば、Ｓ９０へ進む。Ｓ９０では、重送有フラグＦ２がセットされているか否かをチェックし、Ｆ２がセットされていなければ、原稿搬送の際に重送は生じておらず、記録用紙Ｐへの記録及び排出は全て終了しているので、処理を終了する。
【０１３８】
Ｓ９０で、重送有フラグＦ２がセットされていると、原稿搬送の際に重送が生じており、重送された原稿が再読取りされるので、この再読取りされた原稿の画像を記録用紙Ｐへ記録する必要がある。そこで、データマップにおいて、重送有無欄に重送が記入されているＰＡ行のＰＢ欄に記入されているＰＢの若い順に、１つの当該ＰＢに対して、当該ＰＢに対するＰＢ同一ＰＡ行の全てのＰＡ行のデータを読出し(Ｓ９１)、全てのＰＡ行に画像の記録があるか否か、即ち、当該ＰＢに対するＰＢ同一ＰＡ行の全てのＰＡ行の画像有無欄に画像有の記入があるか否かをチェックする(Ｓ９２)。画像有の記入がなければ、再読取りされる原稿からの画像の読取りが終了していないので、読取りが終了するまで待って、画像の読取りが終了後、記録用紙Ｐを給紙カセットから画像形成部１０２へ搬送して、当該ＰＢに対するＰＢ同一ＰＡ行の全てのＰＡ行の画像データ記憶エリアに記憶されている画像を記録用紙Ｐへ記録する(Ｓ９３)。この記録用紙Ｐが、前述の重送原稿記録用紙である。
【０１３９】
上記の例では、当該ＰＢとしては、ＰＢ３が該当し、ＰＢ３と対応するＰＢ３ページの記録用紙Ｐが前述の重送原稿記録用紙に該当する。又、当該ＰＢであるＰＢ３に対するＰＢ同一ＰＡ行としては、図１１のデータマップにおけるＰＡ９行目〜ＰＡ１２行目が該当する。
【０１４０】
Ｓ９３で記録された重送原稿記録用紙が、後処理装置５０に搬送されると、排紙トレイ５１を記録用紙Ｐの排出方向に対して直角の方向にシフトさせて、重送原稿記録用紙を排出し、排出後は、再び元の位置に戻す処理を行う(Ｓ９４)。このように、この処理により、再読取りされた画像が記録された重送原稿記録用紙は、排紙トレイ５１における排出位置が、その他の記録用紙と異なる排出位置に排出される。これは、デジタル複写機１００の操作者等が、再読取りされた画像が記録された重送原稿記録用紙を、その他の記録用紙と容易に識別できるようにするためである。
【０１４１】
図９(ｄ)は、上記の例の場合に、Ｓ９４で、記録用紙Ｐが排紙トレイ５１に排出された状態を示したものであり、上記の重送原稿記録用紙が、その他の記録用紙の位置よりも右側に寄った、シフトされた排出位置７２に位置している。
【０１４２】
Ｓ９４の処理が終了すると、重送有無欄に重送が記入されているＰＡ行のＰＢ欄に記入されている全てのＰＢに対するＰＢ同一ＰＡ行が読出されたか否かをチェックし(Ｓ９５)、この全てのＰＢに対するＰＢ同一ＰＡ行が読出されていなければ、Ｓ９１へ戻って、上記の処理を繰り返す。上記の全てのＰＢに対するＰＢ同一ＰＡ行が読出されていれば(Ｓ９５)、記録済の記録用紙Ｐの頁を揃え直す必要がある旨の表示を、表示部に行った後(Ｓ９６)、重送有フラグＦ２をリセットして(Ｓ９７)、デジタル複写機１００の記録用紙Ｐの記録及び排出動作を終了する。
【０１４３】
上記の実施の形態２では、原稿が１８枚で、その内、１１頁目及び１２頁目が重なって重送された場合を例にして説明しているが、重送が、１１頁目及び１２頁目のみならず、１３頁目にも及んだ場合は、主として、次の点が異なることになる。まず、図１１のデータマップにおいて、重送が１３頁目にも及んだ場合は、ＰＡ１３行目の重送有無欄に重送有が記入され、同じくＰＡ１３行目の画像有無欄、及び、画像データ記憶エリアに、(＊２)が記載される。
【０１４４】
又、上記の実施の形態２では、重送原稿の頁は、ＰＡ１１頁及びＰＡ１２頁であり、同時記録原稿の頁は、ＰＡ９頁〜ＰＡ１２頁であり、重送原稿記録用紙の頁は、ＰＢ３頁であり、重送前原稿記録用紙の頁は、ＰＢ２頁である。これに対して、重送が１３頁目にも及んだ場合は、重送原稿の頁は、ＰＡ１１頁〜ＰＡ１３頁となり、同時記録原稿の頁は、ＰＡ９頁〜ＰＡ１６頁となり、重送原稿記録用紙の頁は、ＰＢ３頁及びＰＢ４頁となり、重送前原稿記録用紙の頁は、実施の形態２と同じくＰＢ２頁である。
【０１４５】
上記の実施の形態２では、１枚の記録用紙に複数枚の原稿に記載されている画像をまとめて記録する点が、実施の形態１と異なるだけで、基本的な機能は、実施の形態１と同じである。従って、実施の形態２においても、実施の形態１と同様の効果を備えている。
【０１４６】
又、上記の実施の形態２において、実施の形態１と同様、記録される部数が１部の場合、或いは、記録される部数が複数部数の場合で、最初の１部の場合は、処理速度を向上させるために、原稿の読取と記録用紙への記録とは、同時並行で行われる。そこで、重送が生じた場合には、上述したような処理がなされて、重送された原稿に記載されている画像の記録用紙への記録は、正常に搬送された原稿に記載されている画像の記録用紙への記録が全て終了した後に行われる。そのため、上述したような、記録用紙の頁を揃え直す必要が出てくる。
【０１４７】
しかし、記録される部数が複数部数の場合で、最初の１部を除く残りの部数の場合は、原稿搬送時に重送が生じていたとしても、２部目を記録する時点で、全ての原稿の画像が読取られているので、原稿のページ順に従って、原稿に記載されていた画像を記録用紙へ記録することができる。従って、この場合は、記録用紙の頁を揃え直す必要は生じない。
【０１４８】
そこで、処理速度の向上を多少犠牲にして、全ての原稿の画像が読取られた後、原稿に記載されている画像を記録用紙へ記録する方式を採用し、重送が生じた場合も、再読取により、全ての原稿の画像が読取られて揃った時点で、記録用紙へ記録することにすれば、記録用紙の頁を揃え直す必要をなくすことができる。
【０１４９】
又、上記の実施の形態２において、原稿の搬送時に重送が検出された場合に、重送原稿記録用紙の記録終了後に行われる記録済の記録用紙のページ番号を揃えることが必要な旨の表示に代えて、重送原稿記録用紙を、重送前原稿記録用紙と、該重送前原稿記録用紙の直後に排出された記録済の記録用紙との間に挿入することが必要な旨の表示を行うようにしてもよい。このようにすることにより、重送された原稿に記載されている画像を記録した記録用紙である重送原稿記録用紙を、重送がなければ本来あるはずである、重送された原稿の画像が記録される記録用紙が抜けている場所に挿入する必要があることを、画像処理装置の操作者等に対して、容易に気付かせることができる。
【図面の簡単な説明】
【０１５０】
【図１】実施の形態１におけるデジタル複写機の内部構成を示した構成図である。
【図２】実施の形態１におけるデジタル複写機の原稿送り装置の断面図である。
【図３】実施の形態１におけるデジタル複写機の重送検知センサが取付けられている状態を示した説明図である。
【図４】実施の形態１におけるデータマップ一覧図である。
【図５】実施の形態１におけるデジタル複写機の原稿読取動作を示したフローチャート(その１)である。
【図６】実施の形態１におけるデジタル複写機の原稿読取動作を示したフローチャート(その２)である。
【図７】実施の形態１におけるデジタル複写機の記録用紙の記録及び排出動作を示したフローチャート(その１)である。
【図８】実施の形態１におけるデジタル複写機の記録用紙の記録及び排出動作を示したフローチャート(その２)である。
【図９】(ａ)、(ｂ)、(ｃ)及び(ｄ)は、実施の形態１におけるデジタル複写機の排紙トレイ上の記録用紙排出位置を示した平面図である。
【図１０】実施の形態２におけるデジタル複写機で用いられる、(ａ)は原稿の配列を示した説明図、(ｂ)は記録用紙の配列を示した説明図である。
【図１１】実施の形態２におけるデータマップ一覧図である。
【図１２】実施の形態２におけるデジタル複写機の原稿読取動作を示したフローチャート(その１)である。
【図１３】実施の形態２におけるデジタル複写機の原稿読取動作を示したフローチャート(その２)である。
【図１４】実施の形態２におけるデジタル複写機の記録用紙の記録及び排出動作を示したフローチャート(その１)である。
【図１５】実施の形態２におけるデジタル複写機の記録用紙の記録及び排出動作を示したフローチャート(その２)である。
【符号の説明】
【０１５１】
１  原稿トレイ
２  中間トレイ
３  原稿排紙トレイ
４  原稿搬送機構
５  原稿読取箇所
６  主搬送路
７  副搬送路
８  呼び込みローラ
９  サバキローラ
１０  連結アーム
１１  ＰＳローラ
１２  搬送ローラ
１３  プラテンガラス
１４  搬送ローラ
１５  揺動板
１６  原稿排紙ローラ
１７  搬送ローラ
２１  重送検知センサ
２１ａ  発光センサ
２１ｂ  受光センサ
２２  原稿送り装置
２３  スキャナユニット
２３ｂ  第２走査ユニット
２４  ランプリフレクタアセンブリ
２５ａ  反射ミラー
２５ｂ  反射ミラー
２５ｃ  反射ミラー
２６  光学レンズ体
２７  光電変換素子（ＣＣＤ）
３１  レーザ書き込みユニット
３１ａ  折返しミラー
３２  電子写真プロセス部
３３  ドラム
３４  帯電器４
３５  現像器
３６  転写器
３７  除電器
３８  クリーニング器
３９  定着装置
４０  搬送経路
４１  給紙カセット
４２  給紙カセット
４３  給紙カセット
４４  手差しトレイ
４５  両面複写ユニット
４６  主搬送路
４７  スイッチバック搬送路
４７Ａ  第１分岐路
４７Ｂ  第２分岐路
４７ａ  第１分岐爪
４７ｂ  第２分岐爪
４８  ピックアップローラ
４９  給紙ローラ
５０  後処理装置
５１  排紙トレイ
６１  大容量給紙カセット
７１  排紙トレイにおける通常の排出位置
７２  排紙トレイにおけるシフトされた排出位置
１００  デジタル複写機
１０１  スキャナ部
１０２  画像形成部
１０３  用紙搬送機構部
１０４  制御部
【図１】
2007201548.tif 000003
【図２】
2007201548.tif 000004
【図３】
2007201548.tif 000005
【図４】
2007201548.tif 000006
【図５】
2007201548.tif 000007
【図６】
2007201548.tif 000008
【図７】
2007201548.tif 000009
【図８】
2007201548.tif 000010
【図９】
2007201548.tif 000011
【図１０】
2007201548.tif 000012
【図１１】
2007201548.tif 000013
【図１２】
2007201548.tif 000014
【図１３】
2007201548.tif 000015
【図１４】
2007201548.tif 000016
【図１５】
2007201548.tif 000017